(57)【特許請求の範囲】
【請求項１】
ブレーキパッド（２）に軸線方向制動力（Ｆ）を加えるようになったピストン（３）を備えるディスクブレーキ振動ダンパーを備える車輛ホイール制動ピストンを備える車輛用ディスクブレーキにおいて、
前記ディスクブレーキ振動ダンパーは、
円筒形部材（４）を備えており、該円筒形部材（４）は、その円筒形周面（４１）上に、柔軟な材料（５）の層が設けられており、前記材料は、前記ピストンの材料及び前記円筒形部材の材料に関して付着性を示し、
前記円筒形部材（４）は、前記柔軟な材料（５）の層が前記ピストン（３）の軸線方向に延びるキャビティの内壁（３１）と接触した状態で、前記ピストンの軸線方向キャビティの内側に位置決めされるようになっており、
前記円筒形部材（４）は、前記ピストンの前記キャビティ（３０）内で摺動し、このキャビティを気密封止し、
前記ピストンの材料及び前記円筒形部材の材料に関して付着性を示す前記柔軟な材料（５）の層は、粘弾性材料で形成されており、
前記円筒形部材（４）は、金属材料製の円筒形リングであり、
前記軸線方向制動力（Ｆ）が所定値以下の場合に、前記ピストン（３）は、前記円筒形部材（４）を介して、前記ブレーキパッド（２）に作用を加え、
前記軸線方向制動力（Ｆ）が前記所定値よりも大きい場合に、前記ピストン（３）は、前記ブレーキパッド（２）に接触して、該ブレーキパッド（２）に直接作用する、ことを特徴とするディスクブレーキ振動ダンパー。
【請求項２】
ブレーキパッド（２）に軸線方向制動力（Ｆ）を加えるようになったピストン（３）を備えるディスクブレーキ振動ダンパーを備える車輛ホイール制動ピストンを備える車輛用ディスクブレーキにおいて、
前記ディスクブレーキ振動ダンパーは、
円筒形部材（４）を備えており、該円筒形部材（４）は、その円筒形周面（４１）上に、柔軟な材料（５）の層が設けられており、前記材料は、前記ピストンの材料及び前記円筒形部材の材料に関して付着性を示し、
前記円筒形部材（４）は、前記柔軟な材料（５）の層が前記ピストン（３）の軸線方向に延びるキャビティの内壁（３１）と接触した状態で、前記ピストンの軸線方向キャビティの内側に位置決めされるようになっており、
前記円筒形部材（４）は、前記ピストンの前記キャビティ（３０）内で摺動し、このキャビティを気密封止し、
前記ピストンの材料及び前記円筒形部材の材料に関して付着性を示す前記柔軟な材料（５）の層は、粘弾性材料で形成されており、
前記円筒形部材（４）は、プラスチック製の円筒形リングであり、
前記軸線方向制動力（Ｆ）が所定値以下の場合に、前記ピストン（３）は、前記円筒形部材（４）を介して、前記ブレーキパッド（２）に作用を加え、
前記軸線方向制動力（Ｆ）が前記所定値よりも大きい場合に、前記ピストン（３）は、前記ブレーキパッド（２）に接触して、該ブレーキパッド（２）に直接作用する、ことを特徴とするディスクブレーキ振動ダンパー。
【発明の詳細な説明】
【技術分野】
【０００１】
本発明は、車輛用ブレーキ振動ダンパー、ブレーキピストン、及びこのようなダンパーを含むブレーキに関する。
【背景技術】
【０００２】
ディスクブレーキを装着した車輛では、このような制動システムによって減速しなければならない各ホイールは、ホイールに固定されたブレーキディスクと、車輛のシャシーに固定された制動デバイスとを含む。制動デバイスは、摩擦によりディスクの回転運動を減速する。
【０００３】
制動デバイスは、裏打ちプレートによって支持されたブレーキパッドをブレーキディスクの各側に備えている。各裏打ちプレートは、ディスクの平面に対して直角に移動でき、ヨーク内のハウジングで両端が案内される。
【０００４】
制動を加える指令が、既知の方法で、ブレーキ流体で充填された液圧回路によって伝達される。通常は駆動位置に配置された制動制御装置によりピストンのシステムに作用を加え、制動力をブレーキパッドにブレーキ流体を介して伝達できる。
【０００５】
ブレーキパッドは、ブレーキライニングをブレーキディスクに擦り付けるように作動し、制動中、ディスクをきつく掴み、その回転を減速する。
【０００６】
しかしながらブレーキパッド等のブレーキライニングが、車輛のアクスルに固定されたブレーキディスク等の回転部材と接触し、そして、この回転部材が減速されるとき、振動が発生することがある。こうした振動は、いきなり強く制動を加える場合よりも穏やかに制動を行う場合の方が気になるものであり、煩わしい。これは、穏やかな制動は、比較的長い時間に亘って加えられ、比較的頻繁に行われ、そして車輛の運転者は、一般的には、車輛がどのような挙動を示すのか及び発生する騒音に注意するためである。更に、穏やかな制動は、一般的には、車輛が発生する騒音が通常は比較的小さい低速時に行われ、振動による騒音が遥かに知覚しやすい。
【０００７】
こうした振動を制限するための試みが行われてきたにも関わらず、経験によれば、これらの振動をなくすことができなかった。そして、いずれにせよ、車輛が古くなり、部品が磨耗するに従って、常に、振動が発生し易くなる。
【発明の開示】
【発明が解決しようとする課題】
【０００８】
従って、一つの解決策は、車輛全体に亘って発生する、これらの振動及びこれらの振動の共振周波数を、減衰することである。
【課題を解決するための手段】
【０００９】
本発明は、従って、これらの振動を減衰するための手段を提供する。
【００１０】
本発明は、従って、ブレーキパッドに軸線方向制動圧力を加えるようになったピストンを備える、ディスクブレーキ振動ダンパーに関する。本発明によるダンパーは、一層の柔軟な材料を円筒形周面上に備えた円筒形部材を含む。前記柔軟な材料は、ピストンの材料及び前記円筒形部材の材料に関して良好な付着性を示す。前記円筒形部材は、前記柔軟な材料の層がピストンのキャビティの内壁と接触した状態で、ピストンの軸線方向に延びるキャビティの内側に位置決めされるようになっている。
【００１１】
有利には、前記柔軟な材料の層は、粘性材料で形成されている。
【００１２】
一実施例によれば、粘性材料層は粘弾性材料で形成されている。
【００１３】
一つの非限定的実施例によれば、前記円筒形部材は、円筒形リングとして形成される。
【００１４】
本発明の別の実施例によれば、円筒形部材は、前記ピストンの前記キャビティ内で摺動し、このキャビティを気密封止する。
【００１５】
有利には、前記円筒形部材は金属材料製である。
【００１６】
別の実施例では、前記円筒形部材をプラスチックで形成してもよい。
【００１７】
本発明は、更に、上文中に説明したダンパーをしようするブレーキピストンに関する。
【００１８】
本発明は、更に、このダンパーを装着したブレーキピストンを用いる車輛用ディスクブ
レーキに関する。
【００１９】
本発明の様々な目的及び特徴は、以下の説明及び添付図面で更に明らかになるであろう。
【発明を実施するための最良の形態】
【００２０】
図１は、本発明によるディスクブレーキの一つの例示の実施例を示す。
【００２１】
二つのブレーキパッド２及び２’が、一部だけが示してあるブレーキディスク１の各側に一つずつ設けられている。当該技術分野で周知のように、このブレーキディスクは車輛のホイールに固定されている。
【００２２】
ブレーキパッド２及び２’は、ブレーキライニング裏打ちプレート２２、２２’に取り付けられたブレーキパッドライニング２０及び２０’を備えている。これらの裏打ちプレート２２、２２’は、ディスクの平面に対して直角に摺動できる。
【００２３】
キャリパ及びヨーク（これらのいずれも図示してない）が、ブレーキディスクの各側に位置決めされたアームを有する。当該技術分野で公知の一つの一般的なディスクブレーキシステムによれば、二つのブレーキパッド２、２’は、これらのブレーキパッドの各々をブレーキディスクの夫々の面１０、１０’に擦り付けることができるように、ブレーキディスクの各側のヨークに摺動可能に取り付けられている。
【００２４】
図１では、パッド２は、ブレーキディスクの平面に対して直角にピストン３によって軸線方向に駆動され、ディスク１の面１０と接触する。
【００２５】
当該技術分野で公知のように、ブレーキパッド２、２’は、ディスクの平面に対して直角に、この平面に対して平行なまま移動し、ブレーキパッドライニング２０がディスク１の面１０に擦り付けられる。
【００２６】
ブレーキパッド２の移動は、ピストン３が配置されたホイールシリンダによって行われる。ホイールシリンダは、車輛の液圧制動回路に連結されている。
【００２７】
車輛のブレーキを作動すると、制動流体が制動回路のマスターシリンダ内で圧縮される。発生した圧力はホイールシリンダに伝達される。これには、ピストン３を駆動し、ピストン３の面３２にブレーキパッド２に向かう力Ｆを発生する効果がある。
【００２８】
本明細書中上文中に説明したディスクブレーキの種類では、及び一般的な使用では、ピストン３は、ブレーキパッドライニング２０がディスクと接触するまで、ブレーキパッド２を駆動する。ブレーキパッド２及びブレーキパッドライニング２０を介してディスクに当接した状態で、ピストンは、キャリパをピストンに向かって引っ張り、このキャリパは、他方のブレーキパッド２’及びブレーキパッドライニング２０’とともに引っ張られる。このライニング２０’は、ブレーキディスクの面１０’と接触する。マスターシリンダ内の圧力が上昇すると力Ｆが増大し、二つのブレーキパッドライニング２０、２０’がディスクの面１０及び１０’に押し付けられることによって、ブレーキディスク１は、減速される。
【００２９】
図１でわかるように、及び既知のように、制動システムの全体としての熱慣性を制限するためピストン３は中空である。これは、ブレーキパッドライニングとブレーキディスクとの摩擦によって、制動が行われるためである。従って、ブレーキパッドライニングは加熱され、この熱が、ブレーキライニング裏打ちプレート、キャリパ、及びホイールシリンダのピストンに伝わる。これらの様々な部品をできるだけ迅速に確実に冷却するのが有利である。これを行うため、これらの部品の熱慣性をできるだけ小さくするのが望ましい。ホイールシリンダのピストンに関し、一つの解決策は、ピストンの中央部分を中空にすることである。従って、ピストン３は、キャビティ３０の周囲にあるその周囲部分を介して、ブレーキライニング裏打ちプレート２１に作用する。
【００３０】
例示の実施例によって、本発明による振動ダンパーを、上文中に説明したシステム等の制動システムへの適用について説明する。しかしながら、本発明によるダンパーは、ディスク１の各側で二つのピストンが互いに向き合って位置決めされた固定ブレーキで使用できるということを明瞭に理解しなければならない。
【００３１】
主振動源はブレーキパッドライニングのところにあり、ブレーキシリンダのピストンは、振動伝達手段であるということがわかっている。本発明は、振動をできるだけその発生
源の近くで減衰することを提案する。これは、本発明が、ピストンとブレーキパッドとの間の振動ダンパーを提供しようとするものであるためである。
【００３２】
本発明は、制動が指令されたとき、最初にブレーキパッドと接触するようになった減衰部材を提供する。
【００３３】
この減衰部材の断面（その軸線に対して直角）は、ピストンのキャビティ３０の断面と同様である。
【００３４】
有利には、この減衰部材は、円筒形又は実質的に円筒形であり、ピストン３のキャビティ３０内に図１に示すように位置決めされている。
【００３５】
例えば、この減衰部材は、円筒形リング４の形態となっている。このリングの外壁４１の直径は、ピストンのキャビティ３０の内壁３１の直径よりも小さい。
【００３６】
リングの外壁４１とキャビティの内壁３１との間には、これらの二つの外壁４１及び内壁３１に、固着する（例えば、粘着する）材料（すなわち、固着部材）５が設けられている。更に、材料５は、有利には、弾性を有する。
【００３７】
有利には、材料５は粘弾性材料である。例えば、ニトリルをベースとした材料であってもよい。
【００３８】
減衰部材４は、制動が行われていない状態で、その面４０がピストンの面３３から距離ｄだけ突出しているように、キャビティ３０内に位置決めされる。
【００３９】
制動が指令されたとき、力Ｆがピストン３の面３２に加わる。このピストンは、軸線方向左方に移動する（図１参照）。減衰部材は、パッドの面に軸線方向に押し付けられる。パッドのブレーキパッドライニング２０が、ディスク１と接触する。軽い制動を開始する。制動力Ｆの増大に従って、ピストン３は左方に移動し続けるが、減衰部材はこれ以上移動できない。ピストン３は、従って、材料５の粘弾性により減衰部材４に対して移動する。ピストンの面３３をパッドの面２２から離間する距離ｄは、面３３が面２２と接触するまで減少する。ピストンは、次いで、パッド２に直接作用する。
【００４０】
従って、制動を掛け始めたとき又は軽く制動を掛けたとき、ピストンは、減衰部材４を介して、ブレーキパッドに作用を加えるということがわかる。このとき、減衰部材４は、ブレーキパッドライニング２０がディスク１と接触したときに発生する全ての振動を減衰及び／又は吸収する。減衰及び／又は吸収された振動は、具体的には、軸線方向に伝播される振動である。しかしながら、ディスクの平面と平行な振動もまた吸収される。
【００４１】
制動指令が終了や停止したとき、力Ｆが減少する。ピストンは左方に移動したが、その面３３がブレーキパッドの面２２から距離ｄだけ離れたところにあるその休止位置に戻る。材料５の弾性のため、減衰部材４は左方に移動し、図１に示す位置に戻る。
【００４２】
図２は、本発明による減衰部材４の実施例の変形例を示す。
【００４３】
この減衰部材は、粘弾性材料５と協働することによりピストンのキャビティ３０を不浸透性状態にシールできる面４２を有する。この場合、制動が指令されたとき、キャビティ３０内の空気が減衰部材４によって圧縮され、制動指令の終了時に減衰部材をその休止位置に戻すのに寄与する。
【００４４】
非限定的実施例として、減衰部材４は、金属材料又はプラスチック材料で形成される。
【００４５】
本発明は、更に、例えば図１及び図２に示す減衰部材を組み込んだホイール制動ピストンに関する。
【００４６】
本発明は、更に、このようなホイール制動ピストンを備えたディスクブレーキに関する。
【図面の簡単な説明】
【００４７】
【図１】図１は、本発明による振動ダンパーを組み込んだディスクブレーキの一つの例示的な実施例の断面図である。
【図２】図２は、本発明による変形例の振動ダンパーを組み込んだディスクブレーキの一つの例示的な実施例の断面図である。
【符号の説明】
【００４８】
１  ブレーキディスク
２、２’  ブレーキパッド
３  ピストン
１０、１０’  面
２２、２２’  ブレーキライニング裏打ちプレート
２０、２０’  ブレーキパッドライニング
３２  面
【図１】
0005222101.tif 000002
【図２】
0005222101.tif 000003